(57)【要約】【課題】空気調和機のフィルター装置は、熱交換器の前面に、空気調和機の本体内部へ埃が侵入することを防ぐためのエアフィルターが設けられており、このエアフィルターは付着した塵埃を手で清掃できるように着脱自在に構成されている頻繁なメンテナンスが必要となるだけでなく、メンテナンスが行われるまでの間にエアフィルターが徐々に目詰まりし、熱交換器を通過する風量が低下して空調能力の低下、消費電力増大につながる。【解決手段】塵埃吸引装置のケーシング部から塵埃吸引装置のファンの内周面近傍にあるＬ字状のリブによりファン表面に付着した塵埃を剥離、離脱させ、Ｌ字状のリブの前側にあるＵ溝の切欠き部分により、剥離、離脱させた塵埃を室外へ排出し易くすることにより、塵埃吸引装置のファンに吸引した塵埃のファン表面への付着、堆積を防止する。【選択図】図５
2007292396.tif 000002
【特許請求の範囲】
【請求項１】
空気調和機の室内ユニットにおいて、塵埃吸引装置を搭載した室内ユニットであって、前記塵埃吸引装置の外郭を構成するケーシング部から塵埃吸引装置のファンの内周面近傍に設けたＬ字状のリブの前側にＵ溝の切欠きを設けたことを特徴とする空気調和機の室内ユニット。
【請求項２】
前記塵埃吸引装置の外郭を構成するケーシング部から塵埃吸引装置のファンの内周面近傍に設けた前記Ｌ字状のリブを一段上げたことを特徴とする請求項１に記載の空気調和機の室内ユニット。
【発明の詳細な説明】
【技術分野】
【０００１】
本発明は空気調和機に関し、さらに詳しくはフィルターの清掃を自動的に行うようにした空気調和機の室内ユニットの構造に関するものである。
【背景技術】
【０００２】
従来の空気調和機のフィルター装置は、熱交換器の前面に、空気調和機の本体内部へ埃が侵入することを防ぐためのエアフィルターが設けられており、このエアフィルターは付着した塵埃を手で清掃できるように着脱自在に構成されている。こうした構成でのフィルター装置は頻繁なメンテナンスが必要となるだけでなく、メンテナンスが行われるまでの間にはエアフィルターが徐々に目詰まりしていき、その結果、熱交換器を通過する風量が低下して空調能力が低下して消費電力の増大につながることとなる。
【０００３】
このため、フィルターのメンテナンスの手間を低減する目的で、特開平６−７４５２１号公報のようにエアフィルターの自動清掃装置として好ましいのはフィルターに付着した塵埃を吸引ノズルを介して塵埃吸引装置により吸引清掃し、吸引された塵埃は室外へ排出する自動清掃装置が考案されている（例えば、特許文献１参照）。
【特許文献１】特開平０４−０８４０４２号公報
【発明の開示】
【発明が解決しようとする課題】
【０００４】
しかしながら、フィルターに付着した塵埃を吸引ノズルを介して塵埃吸引装置により吸引清掃し、吸引された塵埃は室外へ排出するが、塵埃吸引装置の外郭を構成するケーシング部から塵埃吸引装置のファンに吸引した塵埃がファン表面に付着、堆積を防止するために塵埃吸引装置のファンの内周面近傍にＬ字状のリブとそのＬ字状のリブに隣接した後側部分にＵ溝の切欠きを設けたが最悪の場合、塵埃がＬ字状のリブとファンとの間に引っ掛り塵埃の排出が不可能になる場合があるという課題があった。
【０００５】
本発明は、前記従来の課題を解決するもので、塵埃吸引装置のファンの内周面近傍にＬ字状のリブに隣接した部分のＵ溝の切欠きをＬ字リブの前側に設けることにより、塵埃がＬ字状のリブとファンとの間に引っ掛るのを防止するとともに、塵埃を室外へ排出し易くし塵埃のファン表面への付着、堆積にともなう塵埃吸引装置の吸引風量の低下を防止することにより塵埃の吸引性能の低下を防ぎ、信頼性の高い空気調和機の塵埃吸引装置を提供することを目的とする。
【課題を解決するための手段】
【０００６】
前記従来の課題を解決するために、本発明の請求項１は空気調和機の塵埃吸引装置の外郭を構成するケーシング部から塵埃吸引装置のファンの内周面近傍にＬ字状のリブの前側にＵ溝の切欠きを設けたものである。
【０００７】
これによって、フィルターに付着した塵埃を吸引ノズルを介して塵埃吸引装置により吸引された塵埃は、ケーシング部と塵埃吸引装置のファンとの間にあるＬ字状のリブよりファン表面に付着した塵埃を剥離、離脱させ、Ｌ字状のリブの前側にあるＵ溝の切欠き部分により塵埃がＬ字状のリブとファンとの間に引っ掛るのを防止するとともに、離脱させた塵埃を室外へ排出し易くし、塵埃のファン表面への付着、堆積にともなう塵埃吸引装置の吸引風量の低下を防止することにより塵埃の吸引性能の低下を防ぎ、信頼性の高い空気調和機の塵埃吸引装置を提供することが可能となる。
【発明の効果】
【０００８】
本発明の空気調和機の室内ユニットは、空気調和機の塵埃吸引装置のファン表面への塵埃の付着、堆積にともなう塵埃吸引装置の吸引風量の低下を防止することにより塵埃の吸引性能の低下を防ぐことができる。
【発明を実施するための最良の形態】
【０００９】
第１の発明は、熱交換器を通過する空気の塵埃を除去するエアフィルターと、前記エアーフィルターに沿って移動可能な吸引ノズルと、前記吸引ノズルに連結された塵埃吸引装置により構成されるフィルター装置を具備した空気調和機において、前記塵埃吸引装置のケーシング部から塵埃吸引装置のファンの内周面近傍にＬ字状のリブがあり、そのＬ字のリブに隣接するようにＬ字状のリブの前側にＵ溝の切欠きを設けることにより、ファン表面に付着した塵埃をＬ字状のリブで剥離、離脱させた塵埃が、Ｌ字状のリブの前側にＵ溝の切欠き部分を通り塵埃がＬ字状のリブとファンとの間に引っ掛るのを防止するとともに塵埃を室外へ排出し易くし、吸引した塵埃のファン表面への付着、堆積にともなう塵埃吸引装置の吸引風量の低下を防止することにより塵埃の吸引性能の低下を防ぎ、信頼性の高い空気調和機の塵埃吸引装置を提供することができる。
【００１０】
第２の発明は、特に、第１の発明のケーシング部から塵埃吸引装置のファンの内周面近傍に設けたＬ字状のリブの形状を、ケーシング面より一段上げた形状であることにより、ファンとの隙間を確保しＬ字状のリブで剥離、離脱させた塵埃がＬ字状のリブとファンとの間に引っ掛るのを防止するとともに塵埃を室外へ排出し易くし、吸引した塵埃のファン表面への付着、堆積にともなう塵埃吸引装置の吸引風量の低下を防止することにより塵埃の吸引性能の低下を防ぎ、信頼性の高い空気調和機の塵埃吸引装置を提供することができる。
【００１１】
以下、本発明の実施の形態について図面を参照して説明する。なお、この実施の形態によって本発明が限定されるものではない。
【００１２】
（実施の形態１）
図１は、本発明における空気調和機の室内ユニットであり、図２はフィルター自動清掃装置である。
【００１３】
図３にも示すように、室内機１内の側面近傍には、エアフィルタ２に付着した塵埃を吸引して排出するための塵埃吸引装置３が設置されている。この塵埃吸引装置３の吸い込み側部分には、蛇腹形状の吸い込みダクト４を介して吸い込みノズル５が接続されているとともに、塵埃吸引装置３の吹き出し側部分には、その先端が室外へ連通されている排気ダクトが接続されている。
【００１４】
吸い込みノズル５におけるエアフィルタ２に臨む面には、エアフィルタ２の上面部から前面部にかけて複数の吸い込み孔５ａが並んで形成され、後述する塵埃吸引装置３の吸引動作により、各吸い込み孔５ａからエアフィルタ２の塵埃を吸い込み可能に構成されている。
【００１５】
図４〜図５に示すように、塵埃吸引装置３は、吸排気モータ６により回転される遠心式のファン７と、このファン７を収容するケーシング８と、このケーシング８の風上側にケーシング９と一体的に設けられた吸引カバー１０などが取り付けられている取付基板とを有する。
【００１６】
この構成において、吸排気モータ６を吸引のため正転させるとともに、ノズル駆動用モータ１１を駆動させる。すると、塵埃吸引装置３が作動した状態で、吸い込みノズル５が
エアフィルタ２の風上側の面に沿って移動し、この際、エアフィルタ２に付着した塵埃が空気とともに吸い込み孔５ａを通して吸い込みノズル５内に吸い込まれ、吸い込みダクト４から塵埃吸引装置３に吸引された塵埃が空気とともに排気ダクトを通して室外に排出される。
【００１７】
ここで、長期に使用する場合、ファン７の表面に塵埃が堆積する可能性がある。このため、本発明ではファン７とケーシング９からＬ字状のリブ１２の前側にＵ溝の切欠き１３を設けることにより、Ｌ字状のリブ１２で欠き落した塵埃がＬ字状のリブ12とファン7との間に引っ掛るのを防止するとともに塵埃を室外へ排出し易くし、ファン７に吸引した塵埃のファン７表面への付着、堆積にともなう塵埃吸引装置の吸引風量の低下を防止することにより塵埃の吸引性能の低下を防ぎ、信頼性の高い空気調和機の塵埃吸引装置を提供することができる。
【００１８】
また、図６に示すように塵埃吸引装置３のファン７の内周面近傍に設けたＬ字状のリブ１２の形状をケーシング９の面から一段上げた形状にすることにより、ファン７との隙間を確保しＬ字状のリブ１２で欠き落した塵埃がＬ字状のリブ12とファン7との間に引っ掛るのを防止するとともに塵埃を室外へ排出し易くし、塵埃吸引装置３のファン７に吸引した塵埃のファン７表面への付着、堆積にともなう塵埃吸引装置３の吸引風量の低下を防止することにより塵埃の吸引性能の低下を防ぎ、信頼性の高い空気調和機の塵埃吸引装置３を提供することができる。
【産業上の利用可能性】
【００１９】
以上のように、本発明にかかる空気調和機は、空気調和機以外でも、エアフィルタを有し、室外に排気可能な環境に設置される機器に対しても適用可能である。
【図面の簡単な説明】
【００２０】
【図１】本発明の実施の形態における空気調和機の室内ユニットの正面図
【図２】本発明におけるエアフィルターの自動清掃装置の正面図
【図３】本発明におけるエアフィルターの自動清掃装置の斜視図
【図４】本発明における塵埃吸引装置の正面図とＡ−Ａ断面図
【図５】本発明における塵埃吸引装置の断面斜視図
【図６】本発明におけるＬ字のリブとＵ溝の切欠き部の拡大図
【符号の説明】
【００２１】
１  室内ユニット
２  エアフィルタ
３  塵埃吸引装置
４  吸い込みダクト
５  吸い込みノズル
５ａ  各吸い込み孔
６  吸排気モータ
７  ファン
８  ケーシング
９  風上側ケーシング
１０  吸引カバー
１１  ノズル駆動用モータ
１２  Ｌ字状のリブ
１３  Ｕ溝の切欠き部
【図１】
2007292396.tif 000003
【図２】
2007292396.tif 000004
【図３】
2007292396.tif 000005
【図４】
2007292396.tif 000006
【図５】
2007292396.tif 000007
【図６】
2007292396.tif 000008